(57)【要約】流体ディスペンサであって、移動させるのに適した駆動壁（２１）が少なくとも１つ形作られた流体容器（３０）と、投与開口部（３２１）と、駆動壁に荷重をかけて容器の容積が最大となる状態にするのに適したスプリング手段と、を有し、特徴となるのは、前記スプリング手段は、当該スプリング手段を、駆動壁に荷重をかけていない初期状態から駆動壁に荷重をかけている状態に至らせるのに適した作動手段（４２）と協働することである、という前記流体ディスペンサ。
2006521250.tif 000002
【特許請求の範囲】
【請求項１】
流体ディスペンサであって、
移動させるのに適した駆動壁が少なくとも１つ形作られた流体容器（３０）と、
投与開口部（３２１）と、
駆動壁に荷重をかけて容器の容積が最大となる状態にするのに適した作動手段（１；２；４２）と、を有し、
特徴となるのは、
スプリング手段は、当該スプリング手段を、駆動壁に荷重をかけていない初期状態から駆動壁に荷重をかけている状態に至らせるのに適した作動手段（４２）と協働し、スプリング手段は前面プレート（１）および背面プレート（２）を有し、容器（３０）は前面プレートおよび背面プレートに固着されており、作動手段はスペーサ手段（４２）を有し、当該スペーサ手段は、２枚のプレートが互いにほぼ平行に延び、容器の容積が最小限になっている状態に相当する非動作位置と、２枚のプレートの間に少なくとも局部的に間隔が開けられ、前面プレートが背面プレートに対し移動することで、間にある容器を圧縮することができる、という動作位置との間を選択的に移動することができ、駆動手段（４）は、スペーサ手段を２枚のプレートの間に置くことで、それらを隔てるために設けられており、駆動手段は、スペーサ手段（４２）に接続された固定端部（４３３）とけん引端部（４４２）とが設けられたけん引部材（４３、４４）を有し、けん引端部は投与開口部（３２１）の近傍に位置づけられていることである、
という前記流体ディスペンサ。
【請求項２】
投与開口部は、取り外し可能な密封部材（３４）によって閉じられており、当該密封部材はけん引部材（４４）に固着されていること、
を特徴とする請求項１に記載のディスペンサ。
【請求項３】
投与開口部は取り外し可能な密封部材によって閉じられており、当該密封部材にはプルタブが設けられ、けん引端部は前記プルタブによって形成されていること、  
を特徴とする請求項１または２に記載のディスペンサ。
【請求項４】
スペーサ手段（４２）と駆動手段（４）とは単一部品の形で一体的に実装されていること、
を特徴とする請求項１乃至３のいずれかに記載のディスペンサ。
【請求項５】
スペーサ手段はヒンジ留めフラップ（４２）を有し、当該フラップは、非動作位置と作動位置との間を移動するよう設置されており、前記フラップとけん引部材（４３）は単一部品の形で一体的に実装されていること、
を特徴とする請求項４に記載のディスペンサ。
【請求項６】
けん引部材（４３）は２枚のプレートの間に延びていること、
を特徴とする請求項１乃至５のいずれかに記載のディスペンサ。
【請求項７】
けん引部材にはフォーク（４３）が形成されており、当該フォークは共通ウェブ（４３１）を介して相互接続された二又（４３２）を有し、当該二又には２つの接続端部（４３３）が形作られ、これらは共に前記固定端部を形成していること、
を特徴とする請求項１乃至６のいずれかに記載のディスペンサ。
【請求項８】
けん引部材は、ウェブ（４３１）に接続されたタブ（４４）を有し、前記タブには自由端（４４２）が形作られ、当該自由端はけん引端部に接続されているか、あるいはけん引端部を形成していること、
を特徴とする請求項７に記載のディスペンサ。
【請求項９】
タブはフォークから引き離し可能であること、
を特徴とする請求項８に記載のディスペンサ。
【請求項１０】
容器（３０）は、フォークの二又の間でプレート（１）に固定されていること、
を特徴とする請求項７に記載のディスペンサ。
【請求項１１】
けん引端部は、けん引部材のほかの部分から引き離し可能であること、
を特徴とする請求項１乃至１０のいずれかに記載のディスペンサ。
【請求項１２】
スプリング手段は、前面プレート、背面プレート、そしてスペーサ手段のうち少なくとも１つの部品によって形成されていること、
を特徴とする請求項１１に記載のディスペンサ。
【請求項１３】
取り外し可能な投与部材（３４）が取り外されるまでに、容器（３０）にはほぼ流体だけが格納されていること、
を特徴とする請求項２乃至１２のいずれかに記載のディスペンサ。
【請求項１４】
投与開口部（３２１）は、１枚のプレートを貫通する形で一方の側に開放されていること、    
を特徴とする請求項１乃至１３のいずれかに記載のディスペンサ。
【発明の詳細な説明】
【技術分野】
【０００１】
本発明は、移動させたり押さえ付けたりするのに適した移動可能または変形可能な駆動壁が形作られた流体容器と、投与開口部と、駆動壁に荷重をかけて容器の容積が最大となる状態にするのに適したスプリング手段とを有する流体ディスペンサに関する。たとえば、ディスペンサまたは少なくとも容器は、駆動壁が形成された１枚または２枚の可撓性シートから作ることができる。駆動壁をスプリング手段の力に逆らう形で押さえ付けることによって、容器の内積を減少させることができ、それによって流体は投与開口部から放出される。これは香水、化粧品、さらには実に薬品の分野におけるディスペンサの従来型のデザインである。いくつかの分野においては、流体がスプレーの様態で投与されることが効果的である。
【背景技術】
【０００２】
駆動壁が変形可能な場合、スプリング手段は壁に作用し、壁を最大限変形された状態、つまり容器の最大容積が規定された状態になるよう変形させる。スプリング手段を用いて変形可能な壁を変形させることは必ずしも見た目がよくなく、ディスペンサの外観に悪影響を及ぼしかねない。加えて、スプリング手段はディスペンサ全体の厚みを大きくするが、これはいくつかの使用法においては大きな問題点となる可能性がある。
【０００３】
特許文書FR―２  ７９１  ６４５号において、そうした種類のディスペンサが開示されており、これは、使用前は投与開口部が取り外し可能な密封部品によって閉じられている、というものである。したがって、容器の内部は外部と通じておらず、この文書において、駆動壁に作用するスプリングは最大限に圧縮された状態まで圧縮され、その結果、ディスペンサの厚みは最小限に保たれる。これは、そうしたディスペンサが流体サンプルの形で雑誌に挿入される場合、必須の条件である。投与開口部が閉じられている際にも、当然のことながらスプリングは変形可能な壁に作用し、それによって変形可能な壁は見た目悪く変形され、不規則な盛り上がりを見せることが多い。
【０００４】
また、駆動壁は変形可能ではなく、単に移動可能である、という形の従来技術によるディスペンサも公知である。
【発明の開示】
【発明が解決しようとする課題】
【０００５】
本発明は、スプリング手段が不都合にも駆動壁の外観の良さに悪影響を与えてしまうことが、少なくともディスペンサの使用前にはない、という流体ディスペンサを形作ることで、上述した従来技術の問題点を解決することを目的とする。また、本発明は、スプリング手段の実際的、高速、そして好ましい構成として直観的な作動を可能にすることを目的とする。
【課題を解決するための手段】
【０００６】
これらの目的のため、本発明は、スプリング手段を、駆動壁に荷重をかけていない初期状態から駆動壁に荷重をかけている状態に至らせるのに適した作動手段と協働し、スプリング手段は前面プレートおよび背面プレートを有し、容器は前面プレートおよび背面プレートの間に位置づけられており、作動手段はスペーサ手段を有し、当該スペーサ手段は、２枚のプレートが互いにほぼ平行に延び、容器の容積が最小限になっている状態に相当する非動作位置と、２枚のプレートの間に少なくとも局部的に間隔が開けられ、前面プレートが背面プレートに対し移動することで、間にある容器を圧縮することができる、という動作位置との間を選択的に移動することができ、駆動手段は、スペーサ手段を２枚のプレートの間に置くことで、それらを隔てるために設けられており、駆動手段は、スペーサ手段に接続された固定端部とけん引端部とが設けられたけん引部材を有し、けん引端部は投与開口部の近傍に位置づけられている、というスプリング手段を提供する。
【発明の効果】
【０００７】
したがって、スプリング手段は初期段階において駆動壁に作用せず、作動手段はスプリング手段にその本来の望ましい機能（すなわち、駆動壁に荷重をかける機能）を与えるために用いられる。したがって、本発明のディスペンサは、使用前、スプリング手段が駆動壁に作用していない状態で保管することができる。駆動壁は荷重をかけられていない時点では圧力を受けない状態に保たれるため、適切に良い外観を有することが可能である。そうして、駆動壁とディスペンサとは完全に平らな状態を保つことができ、これは雑誌のサンプルとして使用するのに適している。
【０００８】
本発明の１つの側面において、投与開口部は取り外し可能な密封部材によって閉じられており、当該密封部材はけん引部材に固定されている。変形例において、投与開口部は、取り外し可能な密封部材によって閉じられており、当該密封部材はけん引部材に固着されていることとする。
けん引端部が投与部材のすぐ近くに位置づけられていることによって、ディスペンサの使用方法は速やかに、そしてさらには直観的に理解することができる。極めて当然のことながら、ディスペンサの密封部材に連結されたタブを引くことによって当該部材が取り外されるからである。ユーザは単に密封部材を取り除いていると考えていても、実際には作動手段も駆動している。言い換えれば、作動手段の駆動は密封部材を取り除くという動作によって完全に隠されている。
【０００９】
本発明の別の特徴によれば、スペーサ手段と駆動手段とは単一部品の形で一体的に実装されていることとする。
効果的な構成として、スペーサ手段はヒンジ留めフラップを有し、当該フラップは、非動作位置と作動位置との間を移動するよう設置されており、前記フラップとけん引部材は単一部品の形で一体的に実装されていることとする。
さらに、けん引部材は２枚のプレートの間に延びていることとする。
実際的な実施の形態において、けん引部材にはフォークが形成されており、当該フォークは共通ウェブを介して相互接続された二又を有し、当該二又には２つの接続端部が形作られ、これらは共に前記固定端部を形成していることとする。効果的な構成として、けん引部材は、ウェブに接続されたタブを有し、前記タブには自由端が形作られ、当該自由端はけん引端部に接続されているか、あるいはけん引端部を形成していることとする。効果的な構成として、タブはフォークから引き離し可能であることとする。
さらに一般的に言えば、けん引端部は、けん引部材のほかの部分から引き離し可能であることとする。
本発明の別の側面において、容器は、フォークの二又の間でプレートに固定されていることとする。
さらに、スプリング手段は、前面プレート、背面プレート、そしてスペーサ手段のうち少なくとも１つの部品によって形成されていることとする。
実際的な特徴によれば、取り外し可能な投与部材が取り外されるまでに、容器にはほぼ流体だけが格納されていることとする。
【発明を実施するための最良の形態】
【００１０】
以下、本発明のディスペンサの実施の形態を非限定的な例として示す添付図面を参照しながら、本発明に関してさらに詳細に説明する。
ディスペンサは、液体状または粉末状の流体を格納するポーチ３を有する。この例において、ポーチは変形可能な可撓性シート３１から作られており、当該シートは半分に折られ、その周縁部は隙間のない形で固定されている。効果的な構成として、シート同士またはシートの半分同士が熱密封により隙間のない形で合体されている。このようにして、容積可変の流体容器３０が形作られる。可撓性シート３１には変形可能または押さえ付け型の駆動壁が形成されている。ディスペンサには投与開口部３２１がさらに設けられており、好ましい構成として、この例における当該開口部はスプレー開口部である。好ましい構成として、前記開口部については、剛性のあるプラスチック素材で作られた投与ヘッド３２に形成されており、当該投与ヘッドには出口チャネルが形作られ、その下流端に投与開口部が形作られている、という形になっている。効果的な構成として、シート３１は投与ヘッドに密封様態でとりつけられている。効果的な構成として、開口部３２１は少なくとも初回使用時まで取り外し可能な密封部材によって閉じられており、当該密封部材は密封部分３４１と固定部分３４２とを有する。
【００１１】
そして、取り外し可能な密封部材を投与開口部から取り外した後は、シートを押さえることで容器３０の動作容積を小さくし、それから容器に貯蔵された流体をチャネルおよび投与開口部経由で放出させることが可能となる。効果的な構成として、容器は、液体状または粉末状の流体を浸透させたり滲み込ませたりするのに適した多孔性素材の部品をさらに有する。好ましい構成として、前記部品は投与開口部３２１または出口チャネルと直接接触した位置に置かれている。
【００１２】
さらに、ディスペンサはスプリング手段と作動手段とを有し、これら手段は本例において上側プレート２および下側プレート１の形をしており、これらプレートは、ピボット運動可能な形で設置されたフラップ４２、および当該フラップをピボット運動させるためのけん引部材４３と組み合わされている。フラップ４２は、スプリング手段を始動させるための作動手段としての機能を果たす。また、フラップはスプリング機能も果たす。フラップがこうした機能を果たさない場合、２枚のプレートのうち少なくとも一方は、スプリング機能を果たすように弾性変形可能なものとする。好ましい構成として、プレート１およびプレート２の両方を１枚のプレートから作り、２つのプレート部分は、図に示すように接続折り曲げ部１２を介して相互接続されている、という形にすることができる。切抜きまたはノッチ２１は、接続折り曲げ部１２の位置に形成されている。ノッチは窓の形で形成され、当該窓は、折り曲げ部にまたがっており、そのため半分に折り曲げられている、という形にしてもよい。取り外し可能な密封部材が付けられた投与開口部３２１は前記ノッチ２１の中に置かれている。
【００１３】
プレート１はパネル１０および当該パネルにかぶせる形に折ることができる２つの側面フラップ１１とで形成されている。プレート２は折り曲げ部１２を介してパネル１０に接続されている。プレート２のサイズはパネル１０のサイズとほぼ同じであるため、これらは互いに重ね合わせることが可能である。
効果的な構成として、固定スタブ４１が接着剤を遣ってパネル１０に接着されている。スタブをプレート１と一体化して形成することもできる。フラップ４２はスタブ４１に対してヒンジ留めされており、ライン４１２を軸としてピボット運動する。フラップは、後に説明するようにスペーサ手段の形で作動手段として働く。フラップには小さなロック用舌状突起４２２がさらに設けられている。このロック用舌状突起の機能については後で説明する。スタブとフラップとは単一部品として形成することができる。効果的な構成として、フラップは折り曲げ部１２とは反対側にある端部の近傍に位置づけられている。
【００１４】
プレート２には、プレート１のロック用舌状突起４２２を受け入れる働きをするスロット２２が形成されている。
プレートは側面フラップ１１において合体されるよう設計されており、その手段は熱シールとするのが効果的である。このようにして、３辺に沿って密封され、ヒンジ留めフラップ４２が形成された辺は開いている、という一種の封筒が得られる。可撓性のあるポーチ３は、２枚のプレートが一体となって形成したこの封筒形の内部で、これらプレートの間に配置されている。効果的な構成として、投与開口部３２１はノッチ２１の中央に置かれている。効果的な構成として、ポーチ３は、２枚のプレートから成る封筒形の内部に固定してもよい。たとえば、ポーチを２つの点３１１、３１２においてプレートの各々に固定すればよい。
【００１５】
図１乃至３に示すように、フラップ４２がプレート１の他の部分と同一の面に延びている場合、プレート２はプレート１とほぼ並行に延び、可撓性のあるポーチ３が２枚のプレートの間にはさまっている、という形になる。効果的な構成として、可撓性のあるポーチ３には微量の流体しか格納されていないため、当該ポーチは特に平らな形を有することが可能である。したがって、ポーチが２枚のプレート１、２の間に配置された場合も、それによって増す厚みは極めて小さい。そのため、２枚のプレートは間にほとんど何もない状態で重なり合っているように見える。これは図３に示されている。ディスペンサ全体の厚みは約２ミリメータ（mm）から３mmの範囲にすることができる。この時、ディスペンサは輸送または保管されるのに適した休止状態にある。駆動壁が形成された可撓性ポーチ３は圧力を全く受けていない。同様に、プレート１、２も圧力を全く受けていない。
【００１６】
ディスペンサを作動させるためには、図４で小さな矢印によって示されているように、フラップ４２をヒンジライン４１２を軸としてプレート２の方へピボット運動させるだけでよい。効果的な構成として、折り目４１２にはたとえば円の弧の形で丸みがつけられている。対称的に、タンが形成されたフラップの端にも丸みをつけてよい。こうしておけば、フラップ４２がプレート２の方へピボット運動した際に、プレートは折り目と自由端とに対応する形で丸みのついた形となる。フラップはピボット運動し、最終的にはその自由端がプレート２と受け接触し、また、その小さなロック用舌状突起４２２がプレート２に形成されたウィンドウ２２に収容されることになる。この状態は図４に示されている。この時、フラップはプレート１およびプレート２の両方に対してほぼ垂直に延びている。タン４２２はウィンドウ２２の中に入る形で係合しているため、フラップは定位置に固定される。たとえば、フラップは剛性のある形で実装することができる。また、フラップは、２枚のプレートを間隔が開けられた状態に保持することを可能にするスペーサ手段を構成している。
【００１７】
ポーチ３は、点３１１においてプレート１に、そして点３１２においてプレート２に固定されているため、２枚のプレートの間に入れられたスペーサフラップによって、これらプレートの間に間隔が開けば、それによってポーチの壁同士の間にもまた間隔が開く。そうすると、容器の内部容積は、投与開口部３２１、および効果的な構成として多孔性素材の部品を通って流れ込む空気によって増加する。当然のことながら、この増加は取り外し可能な密封部材３４が取り外されてからでなければ生じない。事前に密封部材を取り外さずにフラップを折り曲げて図４に示す位置に持ってくることは、ディスペンサを破壊しない限りほぼ不可能である。空気が容器の中に入り込むことが可能である場合にのみ、プレート同士の間に間隔を開けることができる。本発明において、プレートは弾性変形可能な素材から作られており、当該素材がこの弾性戻し特性をプレートに与える。したがって、ディスペンサが図４に示す形となった時点で、１本の指でプレートを保持しながら別の指でプレートを押せば、ディスペンサを駆動させることができる。この実施の形態では、各プレートが戻しスプリング手段を形成している。しかし、プレートの一方のみが弾性戻し手段を形成し、他方のプレートは全体的に剛性があり受け面として働くことが可能である、という実施の形態も考えることができる。さらに、フラップのみが弾性変形可能であるが、両プレートは剛性がある、という形も考えることができる。可撓性フラップおよび変形可能なプレート、という形も考えることができる。
【００１８】
プレートは、ポーチを変形させることによって相互に近づけることができる。この変形により容器３０には圧力が加えられ、空気と流体との混合物が投与開口部から放出される。
このように、スペーサフラップ４２が、プレートとプレートとの間に隙間を空けるための作動手段を形成している、ということが見てとれる。
【００１９】
この例において、スプリングと作動手段とは、可撓性ポーチ３を取り囲む封筒の形となっている。それ以外に、スプリング手段と作動手段とは幅の狭い２枚のストリップまたはブレードの形となっており、そのうち１枚には作動用のスペーサフラップが設けられている、という実施の形態も考えられる。その場合、可撓性ポーチ３は２枚のストリップの間に配置される。
【００２０】
本発明において、流体ディスペンサには制御手段が設けられており、当該手段は図１において参照番号４で全体が示されている。これらの駆動手段の定義については、フラップ４２と固定スタブ４１とがさらに含まれることにしてもよい。前記フラップと前記スタブとは、駆動手段４の他の部分と一体化して形成することができるためである。駆動手段４はけん引手段を有し、当該けん引手段はフラップ４２とノッチ２１との間に延びている。けん引手段はロック用舌状突起４２２が形成されたフラップ４２の端に、効果的な構成として一体化された形で接続されている。さらに、けん引部材にはけん引端部４４２が設けられており、当該けん引端部は初期状態においてはノッチ２１の位置に置かれている。けん引端部４４２を引っ張ることで、けん引部材によってけん引力をフラップ４２に伝達させ、それによって、当該フラップを図３に示す非動作位置から図４に示す作動位置までピボット運動させる、という形にすることができる。最終位置については、ロック用舌状突起４４２がプレート２の窓２２に収容されている位置とする。ユーザは、けん引端部４４２を掴んで引っ張りさえすればよい、ということが即座に理解できる。
【００２１】
けん引部材は２枚のプレート１、２の間に延びている。
好ましい構成として、取り外し可能な密封部材３４はけん引部材に固着されている。そのため、けん引端部４４２を引っ張ることによって、ディスペンサを作動すること、および取り外し可能な密封部材を取り外して投与開口部３２１を開けることの両方が同時に可能である。
【００２２】
これが、本発明の駆動手段によって実施されるおおよその概念である。
本発明の例示として用いるこれらの図は、駆動手段４の極めて実際的な実施の形態を示している。
さらに具体的に図１を参照する。駆動手段４は力伝達フォーク４３とプルタブ４４とを有する、ということが見てとれる。このフォークとタブとは一体的に実装することができるが、さもなければ変形例として、たとえば接着剤を使った接合によってタブ４４をフォーク４３に固定することもできる。フォーク４３は実質的に平行の２つの側面の又４３２を有し、これらは各々、それぞれの端部の一方において共通ウェブ４３１に接続されている。２つの又４３２は、プレート１の側面フラップ１１にほぼ平行に延びている。ウェブ４３１はノッチ２１の近傍に位置づけられている。２つの又４３２には接続端部４３３が形作られており、当該端部はロック用舌状突起４２２の両サイドにおいてフラップ４２に接続されている。フォーク４３とフラップ４２とは一体化された形で作ってもよく、固定スタブ４１と一緒にするのが効果的である。プルタブ４４は、共通ウェブ４３１においてフォーク４３に接続されている。タブは、ノッチ２１の位置にあるけん引自由端４４２と固定スタブ４４１とを有し、当該固定スタブは引き離し可能な形でウェブ４３１に接続されている。効果的な構成として、取り外し可能な密封部材３４は、耐漏洩様態で投与開口部３２１にかぶさる形で置かれた密封部分４３１とタブ４４に固定された固定部分３４２とを有する。このことは、図２からはっきりと見て取れる。初期状態において、装置の初回使用前には、フラップ４２はプレート１に押さえ付けられている。また、その時点でのけん引端部４４２は、ノッチ２１から外側に突き出すことなく当該ノッチ２１の中に位置している。ユーザは、けん引端部４４２を掴んで引っ張り、フラップ４２をピボット運動させると共に、密封部分３４１を投与開口部から引き離す。さらに引っ張り続けることにより、ユーザはタブ４４をフォーク４３から引き離す。この状態は図５から見て取れる。取り外し可能な密封部材３４は、図５から見て取れるように、タブ４４に固定されたままの状態にすることができる。
【００２３】
可撓性ポーチ３は、図１から見て取れるように、フォーク４３とプレート１との間に配置されている。同図において、可撓性ポーチ３は破線で示されている。さらに、フォークの形状によって、以下のことが可能になる。それは、第１に、フラップ４２へのけん引力をより良い形で分散させること、そして第２に、２つの又の間に位置する点３１２（図３および４参照）に中心がくる形でポーチ３を固定することである。また、フォークの形状によって、けん引が終わった時点で共通ウェブ４３１と折り目１２との間の受け接触を実現でき、その結果、タブ４４はフォーク４３から引き離されることになる。
【００２４】
変形例においては、けん引端部が取り外し可能な密封部材の固定部分３４２によって形成されており、そうして、当該密封部材には、ユーザがつまむのに適したプルタブが形成されている、という形を考えることもできる。しかし、好ましい実施の形態としては、伝達フォーク４３、ヒンジ留めされたフラップ４２、そして固定スタブ４１が形成された単一部品を実装することとする。さらに、２枚のシート１、２を単一部品の形で実装してもよい。プルタブ４４はフォークに固定され、取り外し可能な密封部材３４は投与開口部およびタブの上に設置されている。
【００２５】
図６、７、および８に示された実施の形態において、投与開口部３２１は、前述した実施の形態におけるように投与ヘッドの先端において開いているというより、むしろ投与ヘッドの一方の側面で開いている。実質的には、そのことが前述した実施の形態との唯一の違いである。駆動手段、さらに具体的に言えばけん引部材については、同一またはほぼ同一のものとしてよい。結果として、開口部はけん引部材およびプレート２の方を向いていることになる。
【００２６】
さらに厳密に言えば、ディスペンサが図６に示す初期状態にある際、プルタブ４４はノッチ２１内に位置している。また、取り外し可能な密封部材３４は開口部３２１を覆う形でタブ４４に接続されており、タブ４４はフォーク４３のウェブ４３１に接続されている。タブまたはウェブは開口部のちょうど正面に位置づけられていて、開口部はこの時点ではまだ閉じている。ウェブには穴４３１４が設けられており、当該穴は開口部からずれた位置にある。プレート２には窓２４が設けられており、当該窓の位置に開口部が置かれている。そうすると、ノッチ２１内のタブ４４を掴んで引っ張ることができる。これによりフォークは移動させられる。これと同時に、フラップ４２は持ち上げられ、密封部分３４１はタブに固定された固定部分３４２を介して開口部から浮く形で離れる。けん引の最終段階では、開口部は完全に開放され、開口部４３１４はずらされて、開口部と位置がそろうと共に、プレート２の窓２４に対してほぼ中央の位置に来る。必須ではないが、その後も続けてタブを引っ張ることにより、前記タブは点Sにおいてフォークから引き離された形となり、ノッチ２１は空になって残る、という形にすることもできる。プレート同士を押さえ付けると、流体はスプレーの形で開口部から放出される。噴流またはスプレーは穴４３１４と窓２４とを通って拡散する。スプレーの軸は、プレート２の面に対しほぼ垂直である。
【００２７】
ユーザは、この特別なけん引部材を使えば、１回の直観的操作を行うだけで投与開口部を開けると共に、スプリング手段を動作状態にすることができる。
【図面の簡単な説明】
【００２８】
【図１】本発明のディスペンサの内部構造を示すため、当該ディスペンサを未完成の状態において上から見た斜視図である。
【図２】図１に示すディスペンサの他方の面の部分斜視図である。
【図３】図１および２のディスペンサの休止位置における縦断面図である。
【図４】図１および２のディスペンサの作動位置における縦断面図である。
【図５】図１および２のディスペンサの駆動位置における縦断面図である。
【図６】図３と同様の図であり、本発明の変形例の実施の形態を示す図である。
【図７】図４と同様の図であり、本発明の変形例の実施の形態を示す図である。
【図８】図５と同様の図であり、本発明の変形例の実施の形態を示す図である。
【図１】
2006521250.tif 000003
【図２】
2006521250.tif 000004
【図３】
2006521250.tif 000005
【図４】
2006521250.tif 000006
【図５】
2006521250.tif 000007
【図６】
2006521250.tif 000008
【図７】
2006521250.tif 000009
【図８】
2006521250.tif 000010
【国際調査報告】
2006521250.tif 000011
2006521250.tif 000012
2006521250.tif 000013
2006521250.tif 000014